【手続補正書】
【提出日】平成31年2月19日(2019.2.19)
【手続補正１】
【補正対象書類名】明細書
【補正対象項目名】００６７
【補正方法】変更
【補正の内容】
【００６７】
引用文献
［１］Ｅ．Ｖｉｎｃｅｎｔ、Ｓ．Ａｒａｋｉ、Ｆ．Ｊ．Ｔｈｅｉｓ、Ｇ．Ｎｏｌｔｅ、Ｐ．Ｂｏｆｉｌｌ、Ｈ．Ｓａｗａｄａ、Ａ．Ｏｚｅｒｏｖ、Ｂ．Ｖ．Ｇｏｗｒｅｅｓｕｎｋｅｒ、Ｄ．Ｌｕｔｔｅｒ、およびＮ．Ｑ．Ｋ．Ｄｕｏｎｇによる「Ｔｈｅ  ｓｉｇｎａｌ  ｓｅｐａｒａｔｉｏｎ  ｅｖａｌｕａｔｉｏｎ  ｃａｍｐａｉｇｎ（２００７〜２０１０）：Ａｃｈｉｅｖｅｍｅｎｔｓ  ａｎｄ  ｒｅｍａｉｎｉｎｇ  ｃｈａｌｌｅｎｇｅｓ」、Ｓｉｇｎａｌ  Ｐｒｏｃｅｓｓｉｎｇ、ｖｏｌ．９２、ｎｏ．８、ｐｐ．１９２８〜１９３６、２０１２年。
［２］Ｍ．Ｐａｒｖａｉｘ、Ｌ．Ｇｉｒｉｎ、およびＪ．Ｍ．Ｂｒｏｓｓｉｅｒによる「Ａ  ｗａｔｅｒ  ｍａｒｋｉｎｇ  ｂａｓｅｄ  ｍｅｔｈｏｄ  ｆｏｒ  ｉｎｆｏｒｍｅｄ  ｓｏｕｒｃｅ  ｓｅｐａｒａｔｉｏｎ  ｏｆ  ａｕｄｉｏ  ｓｉｇｎａｌｓ  ｗｉｔｈ  ａ  ｓｉｎｇｌｅ  ｓｅｎｓｏｒ」、ＩＥＥＥ  Ｔｒａｎｓ．Ａｕｄｉｏ，Ｓｐｅｅｃｈ，Ｌａｎｇｕａｇｅ  Ｐｒｏｃｅｓｓ、ｖｏｌ．１８、ｎｏ．６、ｐｐ．１４６４〜１４７５、２０１０年。
［３］Ｍ．ＰａｒｖａｉｘおよびＬ．Ｇｉｒｉｎによる「Ｉｎｆｏｒｍｅｄ  ｓｏｕｒｃｅ  ｓｅｐａｒａｔｉｏｎ  ｏｆ  ｌｉｎｅａｒ  ｉｎｓｔａｎｔａｎｅｏｕｓ  ｕｎｄｅｒ−ｄｅｔｅｒｍｉｎｅｄ  ａｕｄｉｏ  ｍｉｘｔｕｒｅｓ  ｂｙ  ｓｏｕｒｃｅ  ｉｎｄｅｘ  ｅｍｂｅｄｄｉｎｇ」、ＩＥＥＥ  Ｔｒａｎｓ．Ａｕｄｉｏ，Ｓｐｅｅｃｈ，Ｌａｎｇｕａｇｅ  Ｐｒｏｃｅｓｓ、ｖｏｌ．１９、ｎｏ．６、ｐｐ．１７２１〜１７３３、２０１１年。
［４］Ａ．Ｌｉｕｔｋｕｓ、Ｊ．Ｐｉｎｅｌ、Ｒ．Ｂａｄｅａｕ、Ｌ．Ｇｉｒｉｎ、およびＧ．Ｒｉｃｈａｒｄによる「Ｉｎｆｏｒｍｅｄ  ｓｏｕｒｃｅ  ｓｅｐａｒａｔｉｏｎ  ｔｈｒｏｕｇｈ  ｓｐｅｃｔｒｏｇｒａｍ  ｃｏｄｉｎｇ  ａｎｄ  ｄａｔａ  ｅｍｂｅｄｄｉｎｇ」、Ｓｉｇｎａｌ  Ｐｒｏｃｅｓｓｉｎｇ、ｖｏｌ．９２、ｎｏ．８、ｐｐ．１９３７〜１９４９、２０１２年。
［５］Ａ．Ｏｚｅｒｏｖ、Ａ．Ｌｉｕｔｋｕｓ、Ｒ．Ｂａｄｅａｕ、およびＧ．Ｒｉｃｈａｒｄによる「Ｃｏｄｉｎｇ−ｂａｓｅｄ  ｉｎｆｏｒｍｅｄ  ｓｏｕｒｃｅ  ｓｅｐａｒａｔｉｏｎ：Ｎｏｎｎｅｇａｔｉｖｅ  ｔｅｎｓｏｒ  ｆａｃｔｏｒｉｚａｔｉｏｎ  ａｐｐｒｏａｃｈ」、ＩＥＥＥ  Ｔｒａｎｓａｃｔｉｏｎｓ  ｏｎ  Ａｕｄｉｏ，Ｓｐｅｅｃｈ，ａｎｄ  Ｌａｎｇｕａｇｅ  Ｐｒｏｃｅｓｓｉｎｇ、ｖｏｌ．２１、ｎｏ．８、ｐｐ．１６９９〜１７１２、２０１３年８月。
［６］Ｊ．Ｅｎｇｄｅｇａｒｄ、Ｂ．Ｒｅｓｃｈ、Ｃ．Ｆａｌｃｈ、Ｏ．Ｈｅｌｌｍｕｔｈ、Ｊ．Ｈｉｌｐｅｒｔ、Ａ．Ｈ¨ｏｌｚｅｒ、Ｌ．Ｔｅｒｅｎｔｉｅｖ、Ｊ．Ｂｒｅｅｂａａｒｔ、Ｊ．Ｋｏｐｐｅｎｓ、Ｅ．Ｓｃｈｕｉｊｅｒｓ、およびＷ．Ｏｏｍｅｎによる「Ｓｐａｔｉａｌ  ａｕｄｉｏ  ｏｂｊｅｃｔ  ｃｏｄｉｎｇ（ＳＡＯＣ）−Ｔｈｅ  ｕｐｃｏｍｉｎｇ  ＭＰＥＧ  ｓｔａｎｄａｒｄ  ｏｎ  ｐａｒａｍｅｔｒｉｃ  ｏｂｊｅｃｔ  ｂａｓｅｄ  ａｕｄｉｏ  ｃｏｄｉｎｇ」、１２４ｔｈ  Ａｕｄｉｏ  Ｅｎｇｉｎｅｅｒｉｎｇ  Ｓｏｃｉｅｔｙ  Ｃｏｎｖｅｎｔｉｏｎ  （ＡＥＳ  ２００８）、オランダ、アムステルダム、２００８年５月。
［７］Ａ．Ｏｚｅｒｏｖ、Ａ．Ｌｉｕｔｋｕｓ、Ｒ．Ｂａｄｅａｕ、およびＧ．Ｒｉｃｈａｒｄによる「Ｉｎｆｏｒｍｅｄ  ｓｏｕｒｃｅ  ｓｅｐａｒａｔｉｏｎ：ｓｏｕｒｃｅ  ｃｏｄｉｎｇ  ｍｅｅｔｓ  ｓｏｕｒｃｅ  ｓｅｐａｒａｔｉｏｎ」、ＩＥＥＥ  Ｗｏｒｋｓｈｏｐ  Ａｐｐｌｉｃａｔｉｏｎｓ  ｏｆ  Ｓｉｇｎａｌ  Ｐｒｏｃｅｓｓｉｎｇ  ｔｏ  Ａｕｄｉｏ  ａｎｄ  Ａｃｏｕｓｔｉｃｓ（ＷＡＳＰＡＡ’１１）、米国ニューヨーク州ニューパルツ、２０１１年１０月、ｐｐ．２５７〜２６０。
［８］Ｓ．Ｋｉｒｂｉｚ、Ａ．Ｏｚｅｒｏｖ、Ａ．Ｌｉｕｔｋｕｓ、およびＬ．Ｇｉｒｉｎによる「Ｐｅｒｃｅｐｔｕａｌ  ｃｏｄｉｎｇ−ｂａｓｅｄ  ｉｎｆｏｒｍｅｄ  ｓｏｕｒｃｅ  ｓｅｐａｒａｔｉｏｎ」、Ｐｒｏｃ．２２ｎｄ  Ｅｕｒｏｐｅａｎ  Ｓｉｇｎａｌ  Ｐｒｏｃｅｓｓｉｎｇ  Ｃｏｎｆｅｒｅｎｃｅ（ＥＵＳＩＰＣＯ）、２０１４年、ｐｐ．９５９〜９６３。
［９］Ｚ．Ｘｉｏｎｇ、Ａ．Ｄ．Ｌｉｖｅｒｉｓ、およびＳ．Ｃｈｅｎｇによる「Ｄｉｓｔｒｉｂｕｔｅｄ  ｓｏｕｒｃｅ  ｃｏｄｉｎｇ  ｆｏｒ  ｓｅｎｓｏｒ  ｎｅｔｗｏｒｋｓ」、ＩＥＥＥ  Ｓｉｇｎａｌ  Ｐｒｏｃｅｓｓｉｎｇ  Ｍａｇａｚｉｎｅ、ｖｏｌ．２１、ｎｏ．５、ｐｐ．８０〜９４、２００４年９月。
［１０］Ｂ．Ｇｉｒｏｄ、Ａ．Ａａｒｏｎ、Ｓ．Ｒａｎｅ、およびＤ．Ｒｅｂｏｌｌｏ−Ｍｏｎｅｄｅｒｏによる「Ｄｉｓｔｒｉｂｕｔｅｄ  ｖｉｄｅｏ  ｃｏｄｉｎｇ」Ｐｒｏｃｅｅｄｉｎｇｓ  ｏｆ  ｔｈｅ  ＩＥＥＥ、ｖｏｌ．９３、ｎｏ．１、ｐｐ．７１〜８３、２００５年１月。
［１１］Ｄ．Ｄｏｎｏｈｏによる「Ｃｏｍｐｒｅｓｓｅｄ  ｓｅｎｓｉｎｇ」、ＩＥＥＥ  Ｔｒａｎｓ．  Ｉｎｆｏｒｍ．  Ｔｈｅｏｒｙ、ｖｏｌ．５２、ｎｏ．４、ｐｐ．１２８９〜１３０６、２００６年４月。
［１２］Ｒ．Ｇ．Ｂａｒａｎｉｕｋによる「Ｃｏｍｐｒｅｓｓｉｖｅ  ｓｅｎｓｉｎｇ」、ＩＥＥＥ  Ｓｉｇｎａｌ  Ｐｒｏｃｅｓｓｉｎｇ  Ｍａｇ、ｖｏｌ．２４、ｎｏ．４、ｐｐ．１１８〜１２０、２００７年７月。
［１３］Ｅ．Ｊ．ＣａｎｄｅｓおよびＭ．Ｂ．Ｗａｋｉｎによる「Ａｎ  ｉｎｔｒｏｄｕｃｔｉｏｎ  ｔｏ  ｃｏｍｐｒｅｓｓｉｖｅ  ｓａｍｐｌｉｎｇ」、ＩＥＥＥ  Ｓｉｇｎａｌ  Ｐｒｏｃｅｓｓｉｎｇ  Ｍａｇａｚｉｎｅ、ｖｏｌ．２５、ｐｐ．２１〜３０、２００８年。
［１４］Ｒ．Ｇ．Ｂａｒａｎｉｕｋ、Ｖ．Ｃｅｖｈｅｒ、Ｍ．Ｆ．Ｄｕａｒｔｅ、およびＣ．Ｈｅｇｄｅによる「Ｍｏｄｅｌ−ｂａｓｅｄ  ｃｏｍｐｒｅｓｓｉｖｅ  ｓｅｎｓｉｎｇ」、ＩＥＥＥ  Ｔｒａｎｓ．Ｉｎｆｏ．Ｔｈｅｏｒｙ、ｖｏｌ．５６、ｎｏ．４、ｐｐ．１９８２〜２００１、２０１０年４月。
［１５］Ｃ．Ｆｅｖｏｔｔｅ、Ｎ．Ｂｅｒｔｉｎ、およびＪ．Ｌ．Ｄｕｒｒｉｅｕによる「Ｎｏｎｎｅｇａｔｉｖｅ  ｍａｔｒｉｘ  ｆａｃｔｏｒｉｚａｔｉｏｎ  ｗｉｔｈ  ｔｈｅ  Ｉｔａｋｕｒａ−Ｓａｉｔｏ  ｄｉｖｅｒｇｅｎｃｅ．Ｗｉｔｈ  ａｐｐｌｉｃａｔｉｏｎ  ｔｏ  ｍｕｓｉｃ  ａｎａｌｙｓｉｓ」、Ｎｅｕｒａｌ  Ｃｏｍｐｕｔａｔｉｏｎ、ｖｏｌ．２１、ｎｏ．３、ｐｐ．７９３〜８３０、２００９年３月。
［１６］Ａ．Ｐ．Ｄｅｍｐｓｔｅｒ、Ｎ．Ｍ．Ｌａｉｒｄ、およびＤ．Ｂ．Ｒｕｂｉｎによる「Ｍａｘｉｍｕｍ  ｌｉｋｅｌｉｈｏｏｄ  ｆｒｏｍ  ｉｎｃｏｍｐｌｅｔｅ  ｄａｔａ  ｖｉａ  ｔｈｅ  ＥＭ  ａｌｇｏｒｉｔｈｍ」、Ｊｏｕｒｎａｌ  ｏｆ  ｔｈｅ  Ｒｏｙａｌ  Ｓｔａｔｉｓｔｉｃａｌ  Ｓｏｃｉｅｔｙ．Ｓｅｒｉｅｓ  Ｂ（Ｍｅｔｈｏｄｏｌｏｇｉｃａｌ）、ｖｏｌ．３９、ｐｐ．１〜３８、１９７７年。
［１７］Ｓ．Ｍ．Ｋａｙによる「Ｆｕｎｄａｍｅｎｔａｌｓ  ｏｆ  Ｓｔａｔｉｓｔｉｃａｌ  Ｓｉｇｎａｌ  Ｐｒｏｃｅｓｓｉｎｇ：  Ｅｓｔｉｍａｔｉｏｎ  Ｔｈｅｏｒｙ」米国ニュージャージー州エングルウッド・クリフス、Ｐｒｅｎｔｉｃｅ  Ｈａｌｌ、１９９３年。
［１８］Ａ．Ｏｚｅｒｏｖ、Ｃ．Ｆｅｖｏｔｔｅ、Ｒ．Ｂｌｏｕｅｔ、およびＪ．−Ｌ．Ｄｕｒｒｉｅｕによる「Ｍｕｌｔｉｃｈａｎｎｅｌ  ｎｏｎｎｅｇａｔｉｖｅ  ｔｅｎｓｏｒ  ｆａｃｔｏｒｉｚａｔｉｏｎ  ｗｉｔｈ  ｓｔｒｕｃｔｕｒｅｄ  ｃｏｎｓｔｒａｉｎｔｓ  ｆｏｒ  ｕｓｅｒ−ｇｕｉｄｅｄ  ａｕｄｉｏ  ｓｏｕｒｃｅ  ｓｅｐａｒａｔｉｏｎ」、ＩＥＥＥ  Ｉｎｔｅｒｎａｔｉｏｎａｌ  Ｃｏｎｆｅｒｅｎｃｅ  ｏｎ  Ａｃｏｕｓｔｉｃｓ，Ｓｐｅｅｃｈ，ａｎｄ  Ｓｉｇｎａｌ  Ｐｒｏｃｅｓｓｉｎｇ  （ＩＣＡＳＳＰ’１１）、プラハ、２０１１年５月、ｐｐ．２５７〜２６０。
［１９］Ｖ．Ｅｍｉｙａ、Ｅ．Ｖｉｎｃｅｎｔ、Ｎ．Ｈａｒｌａｎｄｅｒ、およびＶ．Ｈｏｈｍａｎｎによる「Ｓｕｂｊｅｃｔｉｖｅ  ａｎｄ  ｏｂｊｅｃｔｉｖｅ  ｑｕａｌｉｔｙ  ａｓｓｅｓｓｍｅｎｔ  ｏｆ  ａｕｄｉｏ  ｓｏｕｒｃｅ  ｓｅｐａｒａｔｉｏｎ」、ＩＥＥＥ  Ｔｒａｎｓ．Ａｕｄｉｏ，Ｓｐｅｅｃｈ，Ｌａｎｇｕａｇｅ  Ｐｒｏｃｅｓｓ、ｖｏｌ．１９、ｎｏ．７、ｐｐ．２０４６〜２０５７、２０１１年。
［２０］Ｊ．Ｎｉｋｕｎｅｎ、Ｔ．Ｖｉｒｔａｎｅｎ、およびＭ．Ｖｉｌｅｒｍｏによる「Ｍｕｌｔｉｃｈａｎｎｅｌ  ａｕｄｉｏ  ｕｐｍｉｘｉｎｇ  ｂｙ  ｔｉｍｅ−ｆｒｅｑｕｅｎｃｙ  ｆｉｌｔｅｒｉｎｇ  ｕｓｉｎｇ  ｎｏｎ−ｎｅｇａｔｉｖｅ  ｔｅｎｓｏｒ  ｆａｃｔｏｒｉｚａｔｉｏｎ」、Ｊ．Ａｕｄｉｏ  Ｅｎｇ．Ｓｏｃ．、ｖｏｌ．６０、ｎｏ．１０、ｐｐ．７９４〜８０６、２０１２年。
［２１］Ｔ．Ｖｉｒｔａｎｅｎ、Ｊ．Ｆ．Ｇｅｍｍｅｋｅ、Ｂ．Ｒａｊ、およびＰ．Ｓｍａｒａｇｄｉｓによる「Ｃｏｍｐｏｓｉｔｉｏｎａｌ  ｍｏｄｅｌｓ  ｆｏｒ  ａｕｄｉｏ  ｐｒｏｃｅｓｓｉｎｇ」、ＩＥＥＥ  Ｓｉｇｎａｌ  Ｐｒｏｃｅｓｓｉｎｇ  Ｍａｇａｚｉｎｅ、ｐｐ．１２５〜１４４、２０１５年。
上記実施形態の一部又は全部は、以下の付記のようにも記載されうるが、以下には限られない。
（付記１）
複数の時間領域オーディオ信号を符号化する方法であって、
前記複数の時間領域オーディオ信号の各々をランダム・サンプリングおよび量子化するステップと、
前記サンプリングおよび量子化した複数の時間領域オーディオ信号を、前記複数の時間領域オーディオ信号の混合物から前記複数の時間領域オーディオ信号を復号および分離するために使用することができる副情報として符号化するステップと、
を含む、前記方法。
（付記２）
前記ランダム・サンプリングは、既定の疑似ランダム・パターンを使用する、付記１に記載の方法。
（付記３）
前記複数の時間領域オーディオ信号の混合物は、到着するにつれて順次符号化される、付記１または２に記載の方法。
（付記４）
どのソースがどの期間に無音であるかを割り出すステップと、前記割り出した情報を前記副情報内に符号化するステップとをさらに含む、付記１から３の何れか１に記載の方法。
（付記５）
複数のオーディオ信号の混合物を復号する方法であって、
副情報を復号および逆多重化するステップであって、前記副情報は前記複数のオーディオ信号の各々の量子化された時間領域サンプルを含む前記ステップと、
記憶装置または任意のデータ・ソースから、前記複数のオーディオ信号の混合物を受信する、または取り出すステップと、
前記複数のオーディオ信号に近似した複数の推定オーディオ信号を生成するステップであって、前記複数のオーディオ信号の各々の前記量子化されたサンプルが使用される前記ステップと、
を含む、前記方法。
（付記６）
前記複数の推定オーディオ信号を生成するステップは、
ランダム非負値から分散テンソルＶを計算するステップと、
前記複数のオーディオ信号の前記量子化されたサンプルのソース・パワー・スペクトルの条件付き期待値を計算するステップであって、推定ソース・パワー・スペクトルＰ（ｆ，ｎ，ｊ）が得られ、かつ、前記複数のオーディオ信号の前記分散テンソルＶおよび複素短時間フーリエ変換（ＳＴＦＴ）係数が使用される、前記ステップと、
前記推定ソース・パワー・スペクトルＰ（ｆ，ｎ，ｊ）から前記分散テンソルＶを繰り返し再計算するステップと、
結果として得られる分散テンソルＶから、ＳＴＦＴ係数
【数１】
2018513996.tif 000001
の配列を計算するステップと、
ＳＴＦＴ係数
【数２】
2018513996.tif 000002
の前記配列を前記時間領域に変換するステップであって、前記複数の推定オーディオ信号が得られる前記ステップと、
を含む、付記５に記載の方法。
（付記７）
前記複数のオーディオ信号のうちの少なくとも１つについてオーディオ・インペインティングを行うことをさらに含む、付記５または６に記載の方法。
（付記８）
前記副情報が、どのオーディオ・ソースがどの時間に無音であるかを示す情報をさらに含み、前記分散テンソルＶを定義する行列ＨおよびＱを自動的に定めることをさらに含む、付記５から７の何れか１に記載の方法。
（付記９）
複数のオーディオ信号を符号化する装置であって、
プロセッサと、
実行されたときに、複数の時間領域オーディオ信号を符号化する方法を前記装置に実行させる命令を記憶したメモリと、
を有し、前記方法は、
前記複数の時間領域オーディオ信号の各々をランダム・サンプリングおよび量子化するステップと、
前記サンプリングおよび量子化した複数の時間領域オーディオ信号を、前記複数のオーディオ信号の混合物から前記複数の時間領域オーディオ信号を復号および分離するために使用することができる副情報として符号化するステップと、
を含む、前記装置。
（付記１０）
前記ランダム・サンプリングは、既定の疑似ランダム・パターンを使用する、付記９に記載の装置。
（付記１１）
複数のオーディオ信号の混合物を復号する装置であって、
プロセッサと、
実行されたときに、複数のオーディオ信号の混合物を復号する方法を前記装置に実行させる命令を記憶したメモリと、
を有し、前記方法は、
副情報を復号および逆多重化するステップであって、前記副情報は前記複数のオーディオ信号の各々の量子化された時間領域サンプルを含む前記ステップと、
記憶装置または任意のデータ・ソースから、前記複数のオーディオ信号の混合物を受信する、または取り出すステップと、
前記複数のオーディオ信号に近似した複数の推定オーディオ信号を生成するステップであって、前記複数のオーディオ信号の各々の前記量子化されたサンプルが使用される前記ステップと、
を含む、前記装置。
（付記１２）
前記複数の推定オーディオ信号を生成するステップは、
ランダム非負値から分散テンソルＶを計算するステップと、
前記複数のオーディオ信号の前記量子化されたサンプルのソース・パワー・スペクトルの条件付き期待値を計算するステップであって、推定ソース・パワー・スペクトルＰ（ｆ，ｎ，ｊ）が得られ、かつ、前記複数のオーディオ信号の前記分散テンソルＶおよび複素短時間フーリエ変換（ＳＴＦＴ）係数が使用される、前記ステップと、
前記推定ソース・パワー・スペクトルＰ（ｆ，ｎ，ｊ）から前記分散テンソルＶを繰り返し再計算するステップと、
結果として得られる分散テンソルＶからＳＴＦＴ係数
【数３】
2018513996.tif 000003
配列を計算するステップと、
ＳＴＦＴ係数
【数４】
2018513996.tif 000004
の前記配列を前記時間領域に変換するステップであって、前記複数の推定オーディオ信号が得られる前記ステップと、
を含む、付記１１に記載の装置。
（付記１３）
前記複数の時間領域オーディオ信号のうちの少なくとも１つについてオーディオ・インペインティングを行うことをさらに含む、付記１１または１２に記載の装置。